(57)【要約】【課題】コネクタ製造時のリフロー・ハンダ付け作業におけるリフロー熱による部品（板バネ）の変形を可及的に防止して不良品の製造を可及的に阻止するＩＣカード用コネクタを提供する。【解決手段】ＩＣカード用コネクタ１のロック手段１１は、スライダ１２に一端側１４ａが支承され、スライダ１２が初期位置に配置された場合において他端側１４ｂが斜め下方向に向いてハウジングから応力が加えられることがない傾斜姿勢にされた板バネ１４と、ハウジング２に形成され、スライダ１２が初期位置からスライドした場合に、板バネ１４に摺接して、該板バネ１４をその弾性変形によって姿勢変更させてカード係合部１４ｄを上動させ、カード係合部１４ｄとカード１０１とを確実に係合する台１７とを具えている。【選択図】        図７
2004335173.tif 000002
【特許請求の範囲】
【請求項１】
端子を支承するハウジングと、該ハウジングに対しスライド自在であって挿入されたＩＣカードを前記端子側に案内するスライダからなり、該スライダを介して前記ＩＣカードを前記ハウジングに対し位置決め装着するとともに前記ＩＣカードの接続端子を前記端子に接触させて電気的接続を図るロック手段とを具えたＩＣカード用コネクタにおいて、
前記ロック手段は、
前記スライダに一端側が支承され、他端側にＩＣカードと係合するカード係合部が形成されており、挿入され前記他端側上に案内されたＩＣカードに前記カード係合部を係合させて前記ＩＣカードを前記スライダに対し位置決める板バネであって、前記スライダが初期位置に配置された場合において、前記他端側が斜め下方向に向いて前記ハウジングから応力が加えられることがない傾斜姿勢にされた板バネと、
前記ハウジングに形成され、前記スライダが前記初期位置からスライドした場合に、前記板バネに摺接して、該板バネをその弾性変形によって前記傾斜姿勢から姿勢を変更させて前記カード係合部を上動させ、前記カード係合部と前記ＩＣカードとの係合を確実にして前記ＩＣカードを前記スライダに対し位置決めるようにした台とを具えるようにしたことを特徴とするＩＣカード用コネクタ。
【請求項２】
前記台は峰部を有し、前記峰部が前記板バネに摺接して該板バネをその弾性変形によって前記傾斜姿勢を変更させ、これにより前記カード係合部を上動させて前記ＩＣカードに確実に係合するようにしたことを特徴とする請求項（１）記載のＩＣカード用コネクタ。
【請求項３】
前記ＩＣカードには係合凹部が形成さており、前記板バネの前記カード係合部は前記係合凹部に係合し、この係合によって前記ＩＣカードを前記板バネを介し前記スライダに位置決めするようにしたことを特徴とする請求項（１）記載のＩＣカード用コネクタ。
【請求項４】
前記板バネの前記一端側には、前記傾斜姿勢をとるための第一の折り曲げ基準面が形成されており、前記板バネの前記他端側には、前記スライダがスライドした場合の折り曲げ基準面となる第二の折り曲げ基準面が形成されていることを特徴とする請求項（１）記載のＩＣカード用コネクタ。
【請求項５】
前記第一の折れ曲り基準面となる部分のバネ幅が、前記カード係合部より前記一端側に位置する部分のバネ幅より狭くされていることを特徴とする請求項（４）記載のＩＣカード用コネクタ。
【請求項６】
前記第二の折れ曲り基準面となる部分のバネ幅が、前記一端側に位置する部分のバネ幅より広くされていることを特徴とする請求項（４）記載のＩＣカード用コネクタ。
【請求項７】
前記第一の折れ曲り基準面のバネ幅が、前記第二の折れ曲り基準面となる部分のバネ幅が狭くされていることを特徴とする請求項（４）記載のＩＣカード用コネクタ。
【発明の詳細な説明】
【０００１】
【発明の属する技術分野】
この発明は、外部記憶装置として使用されるＩＣカード、特にＳＤカードと称されるＩＣカードを扱うＩＣカード用コネクタに関するものである。
【０００２】
【従来の技術】
従来から、薄形ノートパソコン等のモバイル機器、デジタルカメラ等の情報家電機器、ＭＰ３プレーヤ等のＡＶ機器、携帯電話、ＰＤＡ等の情報端末機器の外部記憶装置として、着脱自在なＩＣカードを使用したものがある。
特に、このようなＩＣカードとして、ＳＤカード（ＳＤ  Ｃａｒｄ  Ａｓｓｏｓｉａｔｉｏｎ  規格基準のＩＣカード）はその厚さが薄く、また小型であるばかりでなく、記憶容量も比較的大きいことから薄形のパソコン、デジタルカメラ、携帯電話等の薄形でしかも小型の電子機器の外部記憶装置として多用される傾向にある。
【０００３】
上述したＩＣカードの一つであるＳＤカード（以下単に「カード」という。）を取り扱うＩＣカード用コネクタ（以下、単に「コネクタ」という。）には、カード挿入口からカードを押し込むと該カードを位置決め装着でき、位置決め装着されたカードをさらに奥へ押し込むと、カードをカード挿入口側に案内復帰させて該カードを引き出し可能にするタイプのコネクタ（以下、「プッシュインプッシュアウト方式のコネクタ」という。）がある。（例えば、特許文献１参照。）図１２は、この従来のプッシュインプッシュアウト方式のコネクタの要部概念破断面図であって、特にスライダ（後述）がスライド始端（以下、「初期位置」という。）に配置された初期状態のコネクタを示している。
図１２に示す従来のプッシュインプッシュアウト方式のコネクタ６１は、通常、図示せぬ端子を支承するハウジング２と、カード１０１をハウジング２に対し位置決め装着するとともに上記端子をＩＣカード１０１の表面に形成された図示せぬ接続端子に接触させて電気的接続を図るロック手段５１とを具えている。
【０００４】
このうち、ロック手段５１は、ハウジング２に対しスライド自在で、カード挿入口４を介して矢印Ａ方向から挿入されたカード１０１を案内するスライダ１２と、スライダ１２がスライドして所定位置に達した場合（図２）にカード１０１をスライダ１２を介してハウジング２に対し位置決めする板バネ５４からなる位置決め手段５３とを具えている。
【０００５】
このうちの位置決め手段５３の板バネ５４はスライダ１２に一端側５４ａが支承されている。また、板バネ５４の他端側５４ｂには、その先端５４ｃの近傍にカード係合部５４ｄが形成されている。
【０００６】
一方、ハウジング２には、図１２に示す初期状態における板バネ５４の先端５４ｃに当接して該先端５４ｃに下向きの応力を加えて下動させる凹部２ａが形成されている。
図１３で示すように、図１２の初期状態においてカード１０１を矢印Ａの方向に沿って挿入すると、カード１０１は板バネ５４の他端側５４ｂの上に案内される。そして、カード１０１の一側方に形成された係合凹部１０１ａと板バネ５４のカード係合部５４ｄとが係合し、これによりカード１０１が板バネ５４を介しスライダ１２に保持される。しかし、このときの係合凹部１０１ａとカード係合部５４ｄとの係合におけるその係合量は少ないため、カード１０１をスライダ１２に対し確実に位置決めする位置決め係合は図られていない。
【０００７】
図１４は、図１３のカードを押圧してスライダを矢印Ａの方向にスライドし、これによりスライダがカードを位置決め保持した様子を示す図である。
図１４で示すように、スライダ１２が初期位置からスライドすると、板バネ５４の先端５４ｃがハウジング２の凹部２ａから離間するとともに、該凹部２ａによる下向きの応力が解除されてカード係合部５４ｄが板バネ５４の付勢力によって上方に移動する。
すると、カード１０１の係合凹部１０１ａと板バネ５４のカード係合部５４ｄとの係合量が、スライダ１２が初期位置にある場合の係合量に比し多くなって、カード１０１を板バネ５４を介し確実にスライダ１２に位置決め係合して該カード１０１を強固に保持できる。
【０００８】
また、図１４に示すように強固に保持されたカード１０１をさらに押圧すると、スライダ１２はさらに矢印Ａ方向に移動した後、上記位置決め手段５３の動作によって矢印Ａ方向と反対方向に移動して図１３の状態に復帰する。また、このスライダ１２の復帰によって、ハウジング２の凹部２ａは板バネ５４の先端５４ｃに当接して該先端５４ｃに下向きの応力を加えてカード係合部５４ｄを下動させるので、係合凹部１０１ａとカード係合部５４ｄとの係合におけるその係合量は少なくなって、その係合は緩和され、これによりカード１０１は板バネ５４を介しスライダ１２に係合解除可能に保持される。
したがって、図１２で示すように、図１３のカード１０１を矢印Ａと反対方向へ引くとコネクタ６１から容易に離脱することができる。（以下、前記離脱をさせる動作を「引き出し動作」という）。
なお、上記位置決め手段５３の構造及び動作の詳細は、特許文献１を確認されたい。
【０００９】
このように従来のコネクタ６１では、図１４で示すように、カード１０１を位置決め保持した場合のスライダ１２によるカード保持力を強めることができるとともに、図１３で示すように、初期位置に位置するスライダ１２のカード保持力をハウジング２の凹部２ａによって弱め、これによりカード１０１の引き抜き動作を円滑にし、かつ、カード１０１の引き抜き動作においてカード１０１の係合凹部１０１ａと板バネ５４のカード係合部５４ｄとが互いに当接してカード１０１及び板バネ５４が損傷する虞を可及的に防止している。
【００１０】
【特許文献１】
特開２００２−３４３４６８号公報（第４頁乃至第５頁、第１図乃至第３図、第６図、及び図７）
【発明が解決しようとする課題】
ところで、従来のプッシュインプッシュアウト方式のコネクタ６１（図１２乃至図１４）では、カード１０１をスライダ１２に対し位置決めして該カード１０１を直接保持する板バネ５４は、コネクタ６１の機械的強度を高めるため、通常、金属製の板バネ５４から構成されている。
【００１１】
また従来、プッシュインプッシュアウト方式のコネクタ６１では、スライダ１２を図１２で示す初期位置に配置した状態で、ハウジング２の上記端子を印刷配線基板の導電パターンにリフロー・ハンダ付けし、これにより、その後に挿入したカード１０１をハウジング２に対し位置決め装着した際、カード１０１の前記接続端子を前記ハウジングの端子を介し前記印刷配線基板の前記導電パターンに電気的接続させるようにしている。
【００１２】
したがって、上述のコネクタ６１では、板バネ５４の先端５４ｃがハウジング２の凹部２ｂにより応力が加えられている初期状態でリフロー・ハンダ付け作業が行われるから、金属製の板バネ５４が、その材質の特性上、リフロー・ハンダ付け工程における熱（以下「リフロー熱」という。）の影響を受けて前記応力を加えられた変形姿勢に維持される傾向となる。
板バネ１４がこのような変形姿勢にされると、スライダ１２が初期位置に位置する状態においてカード１０１を挿入しても、カード１０１の係合凹部１０１ａとカード係合部５４ｄとが係合しなくなるので、コネクタ６１自体が不良品となるという問題があった。
【００１３】
この発明は、上述した事情に鑑み、コネクタのリフロー・ハンダ付け作業におけるリフロー熱による部品（板バネ）の変形を可及的に防止して不良品の製造を可及的に阻止するＩＣカード用コネクタを提供することを目的とする。
【００１４】
【課題を解決するための手段】
上述した目的を達成するため、この発明では、端子を支承するハウジングと、該ハウジングに対しスライド自在であって挿入されたＩＣカードを前記端子側に案内するスライダからなり、該スライダを介して前記ＩＣカードを前記ハウジングに対し位置決め装着するとともに前記ＩＣカードの接続端子を前記端子に接触させて電気的接続を図るロック手段とを具えたＩＣカード用コネクタにおいて、前記ロック手段は、前記スライダに一端側が支承され、他端側にＩＣカードと係合するカード係合部が形成されており、挿入され前記他端側上に案内されたＩＣカードに前記カード係合部を係合させて前記ＩＣカードを前記スライダに対し位置決める板バネであって、前記スライダが初期位置に配置された場合において、前記他端側が斜め下方向に向いて前記ハウジングから応力が加えられることがない傾斜姿勢にされた板バネと、前記ハウジングに形成され、前記スライダが前記初期位置からスライドした場合に、前記板バネに摺接して、該板バネをその弾性変形によって前記傾斜姿勢から姿勢を変更させて前記カード係合部を上動させ、前記カード係合部と前記ＩＣカードとを確実に係合して前記ＩＣカードを前記スライダに対し位置決めるようにした台とを具えるようにしている。
【００１５】
【発明の実施の形態】
以下、この発明に関わるＩＣカード用コネクタの一実施例を詳述する。
図１は、ＩＣカード、特にＳＤカードと称されるＩＣカード（以下、「カード」という。）を扱う本願発明のＩＣカード用コネクタ（以下、単に「コネクタ」と言う）の概念組み立て分解斜視図である。また、図２は、図１のコネクタ１を組み立てた様子を示す概念斜視図であって、金属シェル３を取り除いた様子を示している。なお、図１乃至図１１（後述）は、図１２乃至図１４と同一部分を同一符号で示している。
このコネクタ１は、上述したプッシュインプッシュアウト方式のコネクタである。このコネクタ１は、所定のピッチで複数の端子８１を支承するハウジング２と、該ハウジング２に嵌着する金属シェル３と、ハウジング２に対しカード１０１（図６）を位置決め装着するとともに端子８１をＩＣカード１０１の上記接続端子（図示せぬ）に接触させて電気的接続を図るロック手段１１とを具えている。なお、カード１０１は、カード挿入口４から図２の矢印Ａで示す方向に挿入される。
【００１６】
このうち、ロック手段１１は、ハウジング２に対し矢印Ａで示す方向と並行な方向にスライド自在で、上記カード挿入口４から挿入されたＩＣカード１０１を案内するスライダ１２と、スライダ１２がスライドして所定位置に達した場合に該スライダ１２を介しカード１０１をハウジング２に対し位置決めする位置決め手段１３とから構成されている。
【００１７】
また、この位置決め手段１３は、板バネ１４と、スライダ１２をカード挿入口４側へ常時付勢するコイルバネ１５と、ハウジング２とスライダ１２との間に介在されるハート式のカム機構１６とから構成されている。
なお、ハート式のカム機構１６は、スライダ１２の一側面に形成されたハート形状のカム溝１６ａと、ハウジング２に一端が支承され、他端が該カム溝５０ａにガイドされるリンクアーム１６ｂから構成されている。なお、このハート式のカム機構１６とコイルバネ１５の構造及び動作は、上記特許文献１を参照されたい。
【００１８】
図３は、図１のコネクタを構成する上記板バネを示す拡大斜視図である。
この板バネ１４は、その一端側１４ａに係合突起１４ｆが形成されている。
また、この板バネ１４の一端側１４ａには、傾斜姿勢（後述）をとる場合の折り曲げ基準面となるの第一の折り曲げ基準面Ｐが形成されており、板バネ１４の他端側１４ｂには、スライダ１２がスライドした場合の折り曲げ基準面となる第二の折り曲げ基準面Ｑが形成されている。
また、第一の折れ曲り基準面Ｐとなる部分のバネ幅Ｘは、他端側１４ｂのうち、カード係合部１４ｄ（後述）より一端側１４ａに位置する部分のバネ幅Ｙより狭くされている。また、第二の折れ曲り基準面Ｑとなる部分のバネ幅Ｚは、一端側１４ａに位置する部分のバネ幅Ｋより広くされている。また、第一の折れ曲り基準面Ｐのバネ幅Ｘは、第二の折れ曲り基準面Ｑとなる部分のバネ幅Ｚより狭くされている。
【００１９】
また、板バネ１４には、他端側１４ｂの先端１４ｃの近傍に、カード１０１の上記係合凹部１０１ａに係合するカード係合部１４ｄが形成されている。なお、このカード係合部１４ｄは、カード１０１の搭載方向に突出するように折り曲げて形成されている。
【００２０】
このような構造の板バネ１４は、図２の要部拡大概念図で示す図４で示すように、係合突起１４ｆを介してスライダ１２の支承孔１２ｄに嵌着係合しており、これにより板バネ１４の一端側１４ａはスライダ１２に支承されている。
【００２１】
一方、図２及び図４に示すスライダ１２は、図２のハート式のカム機構１６及びスプリング１５の付勢力によって、スライド始端（初期位置）に配置されている。なお、このようにスライダ１２が初期位置に配置されており、カード１０１が挿入される前のコネクタ１の状態を初期状態とする。
【００２２】
また、図２のコネクタの要部概念破断面図である図５で示すように、スライダ１２が初期位置にある状態においては、板バネ１４は、第一の折り曲げ基準面Ｐから折り曲げられて他端側１４ｂが斜め下方向に向いて、ハウジング２及びスライダ２から応力が加えられることがない傾斜姿勢にされ、これにより第一の折り曲げ基準面Ｐから離れて位置する板バネ１４のカード係合部１４ｄは下動している。なお、図４及び図５の符号１２ｇは、スライダ１２の溝を示している。この溝１２ｇと板バネ１４の先端１４ｃとは係合しておらず、板バネ１４にはスライダ１２からの応力は加えられていない。また、ハウジング２には、板バネ１４に応力を加える前記凹部２ａ（図１２）が形成されていない。
【００２３】
また、図５で示すように、上記位置決め手段１３は、ハウジング２に峰部１７ａが形成された台１７から構成されている。この台１７には、載置面１７ｂと傾斜面１７ｃとによって峰部１７ａが形成されている。
【００２４】
図５のコネクタ１のカード挿入口４（図２）からカード１０１を矢印Ａ方向に挿入すると、図６で示すように、カード１０１の他端側１０１ｂの切り下記部１０１ｅがスライダ１２の略三角形状の当接片１２ｅに当接する。なお、スライダ１２は、ハート式のカム機構１６及びコイルバネ１５の付勢力によって図４に示す初期位置に配設された状態を維持する。
【００２５】
また、図６の要部概念破断面図である図７で示すように、カード１０１の係合凹部１０１ａ（図６）が板バネ１４のカード係合部１４ｄに係合する。
しかし、板バネ１４は、第一の折り曲げ基準面Ｐから折り曲げられた上記傾斜姿勢を維持するので、カード係合部１４ｄは下動した位置に配置されており、そのため、上記係合凹部１０１ａとカード係合部１４ｄとの係合量は少ない。したがって、上記係合凹部１０１ａとカード係合部１４ｄとの確実な位置決め係合は図られていない。すなわち、このコネクタ１によると、初期位置のスライダ１２によるカード保持力を弱いから、カード１０１は板バネ１４を介しスライダ１２に係合解除可能に保持されることとなる。
【００２６】
次に、図７の矢印Ａで示す方向にスライダ１２をカード１０１を介し押圧すると、スライダ１２がコイルスプリング１５（図６）の付勢力に抗してスライドする。
すると、図８で示すように、板バネ１４の他端側１４ｂに、台１７の峰部１７ａが摺接して板バネ１２をその弾性変形によって前記傾斜姿勢から姿勢を変更させてカード係合部１４ｄを上動させる。
したがって、板バネ１４のカード係合部１４ｄとカード１０１の係合凹部１０１ａとの係合量が、スライダ１２が初期位置にある場合（図７）の係合量に比し多くなり、これによりスライダ１２によるカード保持力を強くして、カード１０１をスライダ１２に対し確実に位置決めることができる。
【００２７】
また、図８で示すスライダ１２が所定位置に達すると、スライダ１２は、ハート式のカム機構１６及びスプリング１５によって停止してハウジング２に位置決め固定されるため、これにより、カード１０１がスライダ１２を介しハウジング２に対し確実に位置決め装着される。
【００２８】
また、スライダ１２がハウジング２に対して位置決め装着される同時に、スライダ１２に位置決めされたカード１０１の上記接続端子が、ハウジング１２に支承された端子８１（図６）に接触する。このハウジング１２の端子８１は、図示せぬ上記印刷配線基板の導電パターンに予めリフロー・ハンダ付けされているから、カード１０１の接続端子１０１ａがハウジング２の上記端子８１に接触すると、カード１０１の接続端子１０１ａと上記導電パターンとの電気的接続が確実に図られる。
なお、図９は、図８で示すコネクタの概念斜視図であって、金属シェルに加えてカードを取り除いた様子を示す図である。また、図１０は、図８のコネクタの外観を示す概念斜視図で、カードをハウジングに位置決め装着した様子を示す図であって、金属シェルを装着した様子を示す図である。
【００２９】
ところで、上述のように、板バネ１４が弾性変形して前記傾斜姿勢から姿勢を変更させてカード係合部１４ｄを上動させるのは、板バネ１４の他端側１４ｂと台１７の峰部１７ａとが摺接した場合に折れ曲り基準面が第一の折れ曲り基準面Ｐ（図５及び図７）からカード係合部１４ｄ側の第二の折れ曲り基準面Ｑ（図８）に変更することに基づくものである。
【００３０】
このコネクタ１では、図３で示すように、第一の折れ曲り基準面Ｐとなる部分のバネ幅Ｘが、他端側１４ｂのうち、カード係合部１４ｄより一端側１４ａに位置する部分のバネ幅Ｙより狭くされているから、板バネ１４が第一の折れ曲り基準面Ｐを基準として折れ曲りやすく、そのため、図５に示す初期状態及び図７に示すカード保持状態における傾斜姿勢を採りやすくでき、これによりスライダが初期位置にある場合のスライダ１２によるカード保持力を可及的に弱くすることができる。
【００３１】
また、このコネクタ１では、第二の折れ曲り基準面Ｑとなる部分の板バネ１４のバネ幅Ｚが、一端側１４ａに位置する部分のバネ幅Ｋより広くされているから、板バネ１４が第ニの折れ曲り基準面Ｑを基準とした場合に折れ曲りにくく、そのため、図８で示すように板バネ１４がカード１０１をスライダ１２に対し位置決めした姿勢を可及的に維持でき、これにより、カード１０１を位置決め装着したスライダ１２のカード保持力を可及的に強くすることができる。
【００３２】
また、このコネクタ１では、図３に示すように、第一の折れ曲り基準面Ｐのバネ幅Ｘが第二の折れ曲り基準面Ｑとなる部分の板バネ１４のバネ幅Ｚより狭くされているから、板バネ１４が第１の折れ曲り基準面Ｐを基準として折れ曲って、図５に示す初期状態及び図７に示すカード保持状態における傾斜姿勢を採りやすく、これによりスライダ１２が初期位置にある場合のスライダ１２によるカード保持力を可及的に弱くできるとともに、板バネ１４が第二の折れ曲り基準面Ｑを基準とした場合に折れ曲りにくいから、図８で示すように板バネ１４がカード１０１をスライダ１２に対し位置決め係合した姿勢を可及的に維持して、カード１０１を位置決め装着したスライダ１２のカード保持力を可及的に強めることができる。
【００３３】
ところで、図８で示すように装着されたカード１０１をコネクタ６１から離脱するには、まずカード１０１を介しスライダ２を押圧してさらに矢印Ａ方向へスライドさせる。すると、図１０のカード１０１の一端側１０１ｂが、ハウジング２の位置決め凸部２ｂに当接するとともにハートカム式のカム機構１６、及びスプリング１５の動作によって、スライダ１２がスライド終端に達した後、図６及び図７で示すように、カム機構１６及びコイルバネ１５の付勢力によりスライダ１２が初期位置にスライド復帰する。
すると、カード１０１の前記接続端子とハウジング２の端子８１とが離間してカード１０１の接続端子１０１ａと上記導電パターンの電気的接続は解除される。
また、スライダ１２がスライド復帰すると、板バネ１４は台１７の峰部１７ａによる押圧から開放されて上記傾斜姿勢に復帰し、板バネ１４のカード係合部が下動する。したがって、カード１０１の係合凹部１０１ａと板バネ１４のカード係合部１４ｄとは依然として係合しているが、上記係合凹部１０１ａとカード係合部１４ｄとの係合量は少なくなる。すなわち、上記係合凹部１０１ａとカード係合部１４ｄとの係合は緩和され、これにより初期位置のスライダ１２によるカード保持力は弱められてカード１０１は板バネ１４を介しスライダ１２に係合解除可能に保持されることとなる。
そのため、図６及び図７で示すように、スライダ１２が初期位置にある状態から矢印Ａ方向と反対側に向けて、カード１０１を引いてコネクタ１から離脱する動作（カード１０１の引き出し動作）を円滑かつ容易に行うことができる。
【００３４】
また、上述のようにスライダ１２が初期位置にある状態ではカード１０１の係合凹部１０１ａと板バネ１４のカード係合部１４ｄとの係合量は少ないから、このカードの引き抜き動作において、カード１０１の係合凹部１０１ａと板バネ１４のカード係合部５４ｄとが互いに当接してカード１０１及び板バネ１４が損傷する虞は可及的に防止される。
【００３５】
なお、上述のようにスライダ１２のスライド復帰によって板バネ１４が傾斜姿勢に復帰するのは、台２の峰部２ａによる板バネ１４の押圧が解除されることにより、板バネ１４の折り曲げ基準面が、第二の折り曲げ基準面Ｑから第一の折り曲げ基準面Ｐに移動するからである。
【００３６】
また、このコネクタ１では、カード１０１をハウジング２に対し位置決め装着するロック手段１１は、スライダ１２が初期位置に配置された場合においてその他端側１４ｂが斜め下方向に向いてハウジング２又はスライダ１２から応力が加えられることがない傾斜姿勢された板バネ１４を具えてなるから、ハウジング２の前記接続端子と前記印刷配線基板の前記導電パターンとをリフロー・ハンダ付けする作業において、板バネ１４は応力を加えられていない状態でその作業が行われる。したがって、従来のコネクタ６１のように、リフロー熱によって板バネ１４が応力を加えられた変形姿勢が維持される虞は可及的に防止される。
【００３７】
したがって、初期状態にあるコネクタ１にカード１０１を挿入した場合には、確実にカード１０１の係合凹部１０１ａと板バネ５４のカード係合部１４ｄとが係合するから、従来のようにリフロー熱による板バネ１４の変形によってコネクタ１の不良品が発生することは可及的に阻止される。
【００３８】
また、このコネクタ１では、ロック手段１１の板バネ１４は、スライダ１２が初期位置に配置された場合にハウジング２又はスライダ１２から応力が加えられていない傾斜姿勢にされたものであるが、該ロック手段１１は、スライダ１２を前記初期位置からスライドさせた場合に、傾斜姿勢の板バネ１４に摺接して該板バネ１４の弾性変形によってその傾斜姿勢を変更させ、これによりカード係合部１０１ｄを上動させる台１７、特にその峰部１７ａを更に具えているから、スライダ１２を前記初期位置からスライドさせた場合には、上述のようにカード係合部１０１ａとカード係合部１４ｄとの係合量が多くなってその係合が確実になり、これによりカード１０１の前記接続端子と前記印刷配線基板の前記導電パターンとがハウジング２の端子８１を介して確実に電気的接続される。
【００３９】
なお、上記実施例では、台１７は、絶縁体からなるハウジング２と一体形成されているが、この発明のコネクタでは、台１７がハウジング２と一体形成されたものでなくてもよく、別体から構成されていてもよい。
【００４０】
なお、上記実施例ではＩＣカードとして、ＳＤカード１を使用する場合について詳述したが、この発明のコネクタは上記実施例に限定されることなく、板状のＩＣカードを取り扱うコネクタであれば、いかなるタイプのＩＣカード用コネクタにも適用できることは言うまでもない。
【００４１】
【発明の効果】
以上説明したように、この発明のコネクタでは、そのロック手段を、スライダに一端側が支承され、他端側にＩＣカードと係合するカード係合部が形成されており、挿入され前記他端側上に案内されたＩＣカードにカード係合部を係合させてＩＣカードをスライダに対し位置決める板バネであって、スライダが初期位置に配置された場合において、他端側が斜め下方向に向いてハウジングから応力が加えられることがない傾斜姿勢にされた板バネと、ハウジングに形成され、スライダが初期位置からスライドした場合に、板バネに摺接して該板バネをその弾性変形によって前記傾斜姿勢から姿勢を変更させてカード係合部を上動させ、カード係合部とカードとを確実に係合してＩＣカードをスライダに対し位置決めるようにした台とを具えることとしたから、ＩＣカード用コネクタのリフロー・ハンダ付け作業において、板バネには応力が加えられておらず、そのためリフロー熱による板バネの変形は可及的に防止され、これによりＩＣカード用コネクタの不良品の製造を可及的に阻止することができる。
【図面の簡単な説明】
【図１】図１は、この発明のＩＣカード用コネクタの概念組み立て分解斜視図。
【図２】図２は、図１のコネクタを組み立てた様子を示す概念斜視図であって、金属シェルを取り除いた様子を示す図。
【図３】図３は、図１のコネクタを構成する板バネを示す拡大斜視図。
【図４】図４は、図２の要部拡大概念図。
【図５】図５は、図２のコネクタの要部概念破断面図。
【図６】図６は、図２のコネクタにカードを挿入した様子を示す概念斜視図である。
【図７】図７は、図６の要部概念破断面図。
【図８】図８は、図７のコネクタの動作を示す該コネクタの概念破断面図。
【図９】図９は、図８のコネクタの概念斜視図であって、特に、カード及び金属シェルを取り除いた様子を示す図。
【図１０】図１０は、カードを装着したコネクタを示す概念斜視図であって、金属シェルを取り除いた様子を示す図。
【図１１】図１１は、図１０のコネクタの外観斜視図である。
【図１２】図１２は、従来のＩＣカード用コネクタの要部概念破断面図。
【図１３】図１３は、従来のＩＣカード用コネクタの要部概念破断面図。
【図１４】図１４は、従来のＩＣカード用コネクタの要部概念破断面図。
【符号の説明】
１…ＩＣカード用コネクタ
２…ハウジング
１１…ロック手段
１２…スライダ
１４…板バネ
１４ａ…一端側
１４ｂ…他端側
１４ｄ…カード係合部
１７…台
１７ａ…峰部
１０１…ＩＣカード
１０１ａ…係合凹部
Ｐ…第一の折り曲げ基準面
Ｑ…第二の折り曲げ基準面
Ｘ…第一の折れ曲り基準面となる部分のバネ幅
Ｙ…カード係合部より一端側に位置する部分のバネ幅
Ｚ…第二の折れ曲り基準面となる部分のバネ幅
Ｋ…一端側に位置する部分のバネ幅
【図１】
2004335173.tif 000003
【図２】
2004335173.tif 000004
【図３】
2004335173.tif 000005
【図４】
2004335173.tif 000006
【図５】
2004335173.tif 000007
【図６】
2004335173.tif 000008
【図７】
2004335173.tif 000009
【図８】
2004335173.tif 000010
【図９】
2004335173.tif 000011
【図１０】
2004335173.tif 000012
【図１１】
2004335173.tif 000013
【図１２】
2004335173.tif 000014
【図１３】
2004335173.tif 000015
【図１４】
2004335173.tif 000016
【手続補正書】
【提出日】平成15年5月13日(2003.5.13)
【手続補正１】
【補正対象書類名】図面
【補正対象項目名】全図
【補正方法】変更
【補正の内容】
【図１】
2004335173.tif 000017
【図２】
2004335173.tif 000018
【図３】
2004335173.tif 000019
【図４】
2004335173.tif 000020
【図５】
2004335173.tif 000021
【図６】
2004335173.tif 000022
【図７】
2004335173.tif 000023
【図８】
2004335173.tif 000024
【図９】
2004335173.tif 000025
【図１０】
2004335173.tif 000026
【図１１】
2004335173.tif 000027
【図１２】
2004335173.tif 000028
【図１３】
2004335173.tif 000029
【図１４】
2004335173.tif 000030